(57)【要約】【課題】軟便等の漏れを適切に防止することができる低コストの吸収性補助パッドを提供する。【解決手段】液透過性のトップシー２０トと、液不透過性又は液透過性のバックシート４０と、トップシート２０及びバックシート４０の間に配置された吸収体３０と、を有する吸収性補助パッド１であって、吸収体３０は、身体側表面において、長手方向の端部に、幅方向に沿って、少なくとも一つの圧搾溝３１を有しており、トップシートは、圧搾溝３１の高さ方向の位置に、幅方向に沿って、スリット２１を有しており、トップシート２０と圧搾溝３１が高さ方向に重複する領域において、トップシート２０は、吸収体３０と接合しない、吸収性補助パッド１を提供する。【選択図】図１
2019037671.tif 000002
【特許請求の範囲】
【請求項１】
液透過性のトップシートと、液不透過性又は液透過性のバックシートと、前記トップシート及び前記バックシートの間に配置された吸収体と、を有する吸収性補助パッドであって、
前記吸収体は、身体側表面において、長手方向の少なくとも一方の端部に、幅方向に沿って、少なくとも一つの圧搾溝を有しており、
前記トップシートは、前記圧搾溝の高さ方向の位置に、幅方向に沿って、スリットを有しており、
前記トップシートと前記圧搾溝が高さ方向に重複する領域において、前記トップシートは、前記吸収体と接合しない、吸収性補助パッド。
【請求項２】
前記圧搾溝の、幅方向の寸法が、３０ｍｍ以上３００ｍｍ以下であり、長手方向の寸法が、５ｍｍ以上５０ｍｍ以下である、請求項１に記載の吸収性補助パッド。
【請求項３】
前記スリットの幅方向の寸法は２０ｍｍ以上３２０ｍｍ以下であり、長手方向の寸法は、４０ｍｍ以下である、請求項１又は２に記載の吸収性補助パッド。
【請求項４】
前記圧搾溝の深さが、１ｍｍ以上１０ｍｍ以下であり、吸収体の厚みに対して１０％以上９０％以下である、請求項１から３のいずれかに記載の吸収性補助パッド。
【請求項５】
幅方向の両端部に立体ギャザーを備える、請求項１から４のいずれかに記載の吸収性補助パッド。
【発明の詳細な説明】
【技術分野】
【０００１】
本発明は、軟便等の漏れを適切に防止することができる低コストの吸収性補助パッドに関する。
【背景技術】
【０００２】
一般的に大人用紙おむつには、テープ止めタイプ、パンツタイプ等があり、これらの紙おむつは使用者の排泄における介護の必要度に応じて適宜選択されて使用される。これらの吸収性物品は、液透過性のトップシートと、液不透過性のバックシートと、両シートの間に配置された吸収体と、で構成されている。このような構成を採用することにより、尿等の体液は、吸収性物品のトップシートを透過して吸収体に吸収され、バックシートにより外部へ漏れないようになっている。
【０００３】
ところで、テープ止めタイプやパンツタイプの紙おむつ（以下、紙おむつと称する）は、それ自体を単独で使用する場合と、その内側に尿取りパッドを併用する場合があるが、現在は、尿取りパッドと併用し、尿取りパッドを、トップシート上に重ねて使用する場合がほとんどである。これは、紙おむつ１枚当たりのコストが高いためで、紙おむつに比して安価な尿取りパッドで排泄物を吸収して保持した後、尿取りパッドのみを交換することで、排泄後においても、よりコストの高い紙おむつを交換せずに済み、経済的に低いコストで吸収性物品を使用できるためである。
【０００４】
ここで、尿取りパッドは、尿量に応じて様々なサイズや形状があり、排泄された尿を確実に吸収して漏れを防止することができる。しかしながら、軟便、水様便、下痢便（以下、軟便等と称する）に対しては、吸収性が不十分であり、軟便等が尿取りパッド及び紙おむつの外部に漏れることがあったため、軟便等の漏れを防止することを目的とした尿取りパッドについても検討がなされている。
【０００５】
軟便等の漏れを防止することを目的とした尿取りパッドとしては、例えば、特許文献１に、トップシートと、バックシートと、吸収体と、立体ギャザーと、を備えた尿取りパッドにおいて、少なくとも股部の前端よりも後側の範囲内における、立体ギャザーの突出部位より側方に延在する部分に、衣類側表面から見てカップ状に窪んだカップ部が設けられていることを特徴とする尿取りパッドが開示されている。
【０００６】
また、特許文献２には、トップシート、バックシート及び該トップシートと該バックシートとの間に配置された吸収体を備えた尿取りパッドであって、トップシートから吸収体までを厚み方向に貫通する貫通孔が形成されており、吸収体とバックシートとの間に、不織布又は発泡体からなり且つ肌当接面に凹凸構造が形成されている拡散層を有し、該拡散層が該貫通孔の底部をなし、該底部が肌当接面側において露出している尿取りパッドが開示されている。
【先行技術文献】
【特許文献】
【０００７】
【特許文献１】特開２０１４−４５９８０号公報
【特許文献２】特開２０１６−１１２２３２号公報
【発明の概要】
【発明が解決しようとする課題】
【０００８】
しかしながら、特許文献１及び特許文献２に記載の尿取りパッドにおいても、大量の軟便等が排泄された場合には、尿取りパッドの漏れやすい箇所から紙おむつにまで軟便等が漏れ、さらに、紙おむつから軟便等が衣服や寝具に漏れてしまう可能性があった。したがって、本発明は以上の点の課題に鑑みてなされたものであり、軟便等の漏れを適切に防止することができる低コストの吸収性補助パッドを提供することを目的とする。
【課題を解決するための手段】
【０００９】
本発明の発明者は、上記課題に鑑み、鋭意研究を行った。その結果、トップシート、吸収体及びバックシートから構成される吸収性補助パッドであって、吸収体に所定の圧搾溝を設け、さらに、トップシートに所定のスリットを設けることにより、本発明を完成するに至った。具体的には、本発明は以下のものを提供する。
【００１０】
（１）本発明の第１の態様は、液透過性のトップシートと、液不透過性又は液透過性のバックシートと、前記トップシート及び前記バックシートの間に配置された吸収体と、を有する吸収性補助パッドであって、前記吸収体は、身体側表面において、長手方向の少なくとも一方の端部に、幅方向に沿って、少なくとも一つの圧搾溝を有しており、前記トップシートは、前記圧搾溝の高さ方向の位置に、幅方向に沿って、スリットを有しており、前記トップシートと前記圧搾溝が高さ方向に重複する領域において、前記トップシートは、前記吸収体と接合しない、吸収性補助パッドである。
【００１１】
（２）本発明の第２の態様は、（１）に記載の吸収性補助パッドであって、前記圧搾溝の、幅方向の寸法が、３０ｍｍ以上３００ｍｍ以下であり、長手方向の寸法が、５ｍｍ以上５０ｍｍ以下であることを特徴とするものである。
【００１２】
（３）本発明の第３の態様は、（１）又は（２）に記載の吸収性補助パッドであって、前記スリットの幅方向の寸法は２０ｍｍ以上３２０ｍｍ以下であり、長手方向の寸法は、４０ｍｍ以下であることを特徴とするものである。
【００１３】
（４）本発明の第４の態様は、（１）から（３）のいずれかに記載の吸収性補助パッドであって、前記圧搾溝の深さが、１ｍｍ以上１０ｍｍ以下であり、吸収体の厚みに対して１０％以上９０％以下であることを特徴とするものである。
【００１４】
（５）本発明の第５の態様は、（１）から（４）のいずれかに記載の吸収性補助パッドであって、幅方向の両端部に立体ギャザーを備えることを特徴とするものである。
【発明の効果】
【００１５】
本発明の吸収性補助パッドにおいて、吸収体は、身体側表面において、長手方向の少なくとも一方の端部に、幅方向に沿って、少なくとも一つの圧搾溝を有しており、トップシートは、圧搾溝の高さ方向の位置に、幅方向に沿って、スリットを有しており、トップシートと圧搾溝が高さ方向に重複する領域において、トップシートは、吸収体と接合しない。そのため、紙おむつ等の吸収性物品に本発明の吸収性補助パッドを装着して使用することにより、紙おむつの長手方向からの軟便等の漏れを効果的に防止することができる。また、本発明の吸収性補助パッドは、尿取りパッドのように、低コストで製造することができる。よって、本発明によれば、軟便等の漏れを適切に防止することができ、かつ、低コスト化を実現できる。
【図面の簡単な説明】
【００１６】
【図１】本発明の吸収性補助パッドの平面図である。
【図２】図１のＹ１−Ｙ１断面図である。
【図３】軟便等が圧搾溝により堰き止められる態様を示した図面である。
【発明を実施するための形態】
【００１７】
以下、添付図面を参照して、本発明を実施するための形態について、詳細に説明する。なお、本発明の実施形態の説明の全体を通して、同じ要素には同じ符号を付している。
【００１８】
本明細書の説明において、吸収性補助パッド１の着用時とは、吸収性補助パッド１の装着時及び装着後の少なくとも一方をいう。吸収性補助パッド１の長手方向とは、着用されたときに着用者の前後に亘る方向であり、図中Ｙで表す方向である。一方、吸収性補助パッド１の幅方向とは、長手方向に対して横又は直交する方向であり、図中Ｘで表す方向である。さらに、身体側表面とは、吸収体３０等の各部材の表裏両面のうち、着用時に着用者の肌側に配される面であり、衣類側表面とは、吸収体３０等の各部材の表裏両面のうち、着用時に着用者の肌側とは反対側に向けられる面である。また、吸収性補助パッド１を配置する吸収性物品について、前部ａ、中央部ｂ及び後部ｃに略三等分して区分した。
【００１９】
＜吸収性補助パッド＞
図１は、本発明の吸収性補助パッド１の平面図であり、図２は、図１のＹ１−Ｙ１断面図であり、図３は、軟便等５０が圧搾溝３１により堰き止められる態様を示した図面である。
【００２０】
本発明の吸収性補助パッド１は、図１及び図２に示すように、液透過性のトップシート２０と、液不透過性又は液透過性のバックシート４０と、トップシート２０及びバックシート４０の間に配置された吸収体３０と、を有する。本発明の吸収性補助パッド１は、紙おむつや大型の尿取りパッドに重ねて用いることで、これら吸収性物品からの軟便等５０の漏れを防止することができる。
【００２１】
また、吸収性補助パッド１の形状は、特に限定されないが、図１に示すような略長方形や、長手方向中央部の幅方向側端部に括れを有する形状等の、尿取りパッドのように吸収性物品の身体側に積層できる形状であることが好ましい。吸収性補助パッド１の長手方向の寸法は、２００ｍｍ以上８００ｍｍ以下であり、幅方向の寸法は、１００ｍｍ以上４００ｍｍ以下であることが好ましい。吸収性補助パッド１の長手方向及び幅方向の寸法をこのような範囲にすることにより、着用する吸収性物品の態様、大きさ、形状に合わせて、軟便等５０の漏れを適切に防止できる吸収性補助パッド１を提供することができる。
【００２２】
［吸収体］
吸収体３０は、基材としての吸収性繊維と、高吸収性ポリマー（Ｓｕｐｅｒ  Ａｂｓｏｒｂｅｎｔ  Ｐｏｌｙｍｅｒ、ＳＡＰとも称される）と、を含有することが好ましい。吸収性繊維は、一般に生理用ナプキンや紙おむつ、尿取りパッド等の吸収性物品に使用されるものであれば特に制限はなく、例えば、フラッフパルプ、コットン、レーヨン、アセテート、ティッシュ、吸収紙、親水性不織布等を挙げることができる。これらの中でも、吸収性の観点から、フラッフパルプを使用することが好ましい。斯かるフラッフパルプとしては、木材パルプ、合成繊維、ポリマー繊維、非木材パルプ等を綿状に解繊したものを挙げることができる。吸収体３０の吸収性繊維量は、吸収性能及び肌触りを損なわないよう、１００ｇ／ｍ２以上８００ｇ／ｍ２以下の坪量とすることが好ましい。
【００２３】
吸収体３０の高吸収性ポリマーとしては、体液を吸収し、かつ、逆流を防止できるものであれば特に制限はなく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系が好ましい。吸収体３０のＳＡＰ量は、吸収性能及び肌触りを損なわないよう、５０ｇ／ｍ２以上５００ｇ／ｍ２以下の坪量とすることが好ましい。また、吸収速度及び吸収量の観点から、吸収体３０の重量に対する高吸収性ポリマーの重量は、１５質量％以上５０質量％以下であることが好ましい。
【００２４】
吸収体３０において、吸収性繊維及びＳＡＰの形態は、吸収性繊維中にＳＡＰ粒子を混合して形成したもの、あるいは、吸収性繊維間にＳＡＰ粒子を固着したＳＡＰシートとしたものであることが好ましい。また、ＳＡＰ粒子の漏洩防止や吸収体３０の形状の安定化の目的から、吸収体３０をキャリアシートに包むことが好ましい。キャリアシートの基材としては親水性を有するものであればよく、ティッシュ、吸収紙、エアレイド不織布等の親水性不織布を挙げることができる。キャリアシートを複数備える場合は、キャリアシートの基材は同一のものであっても異なるものであってもよい。
【００２５】
（圧搾溝）
吸収体３０は、身体側表面において、長手方向の少なくとも一方の端部に、幅方向に沿って、少なくとも一つの圧搾溝３１を有している。そのため、紙おむつ等の吸収性物品に本発明の吸収性補助パッド１を装着して使用することにより、排泄後に吸収性補助パッド１の長手方向の端部に移行してきた軟便等５０を圧搾溝３１により堰き止めることができ、吸収性物品からの前側及び／又は背側からの軟便等５０の漏れを効果的に防止することができる。なお、圧搾溝３１は、エンボス加工や立体積繊加工等により形成することができる。圧搾溝３１の形状は、特に限定されないが、略直線状が好ましく、長手方向の端部に対して、略Ｕ字状、略くの字形状であってもよい。
【００２６】
このように、圧搾溝３１は、本発明の吸収性補助パッド１において、軟便等５０の漏れを効果的に防止する重要な役割を担っている。圧搾溝３１は、長手方向の少なくとも一方の端部に設けられるものであり、前部ａや後部ｃのいずれかに設けてもよいし、前部ａや後部ｃの両方に設けてもよい。なお、図１及び図２は、後部ｃに圧搾溝３１を２つ設けた態様を示している。また、本発明の吸収性補助パッド１を吸収性物品に装着する際に、吸収性補助パッド１の装着する際の前後の方向は特に限定されず、着用者の体型、用途に応じて、吸収性補助パッド１に備えられた圧搾溝３１を有する端部を、吸収性物品の軟便等５０が漏れやすい端部の方向に合わせて使用することができる。
【００２７】
圧搾溝３１は、上記のとおり、少なくとも一つ設けられており、圧搾溝３１の数は、１個以上１０個以下であることが好ましい。圧搾溝３１の数が多いほど、軟便等５０の吸収性を向上させることができるが、多すぎると凹凸により着用感が低下してしまうため、着用感を良好に維持しつつ、軟便等５０の漏れをより効果的に防止するために、圧搾溝３１の数は上記の範囲に調整することが好ましい。
【００２８】
圧搾溝３１の、幅方向の寸法が、３０ｍｍ以上３００ｍｍ以下であり、長手方向の寸法が、５ｍｍ以上５０ｍｍ以下であることが好ましい。また、圧搾溝３１の幅方向の寸法は、５０ｍｍ以上２５０ｍｍ以下であることがより好ましく、８０ｍｍ以上２００ｍｍ以下であることが更に好ましい。また、圧搾溝３１の長手方向の寸法は、１０ｍｍ以上３０ｍｍ以下であることがより好ましい。圧搾溝３１の、幅方向及び長手方向の寸法を上記の範囲に調整することにより、着用感を維持しつつ、軟便等５０の漏れをより効果的に防止することができる。
【００２９】
また、圧搾溝３１は、上記のとおり、軟便等５０を堰き止める役割を担うため、吸収体３０の衣類側表面を貫通しないことが好ましい。さらに、圧搾溝３１の深さが、１ｍｍ以上１０ｍｍ以下であり、吸収体３０の厚みに対して１０％以上９０％以下であることが好ましい。また、圧搾溝３１の深さは、２ｍｍ以上８ｍｍ以下であることがより好ましい。圧搾溝３１の深さは、吸収体３０の厚みに対して２０％以上８０％以下であることがより好ましい。圧搾溝３１の深さを上記の範囲に調整することにより、軟便等５０の漏れをより効果的に防止することができる。
【００３０】
また、吸収体３０の圧搾溝３１を設けた長手方向の最端部から、当該最端部に隣接する圧搾溝３１との最短離間距離は、２０ｍｍ以上１００ｍｍ以下であることが好ましく、３０ｍｍ以上８０ｍｍ以下であることがより好ましい。
【００３１】
また、長手方向の少なくとも一方の端部に複数の圧搾溝３１を設けた場合、隣接する圧搾溝３１同士の離間距離は、２０ｍｍ以上１００ｍｍ以下であることが好ましく、３０ｍｍ以上６０ｍｍ以下であることがより好ましい。隣接する圧搾溝３１同士の離間距離を上記の範囲に調整することにより、着用感を維持しつつ、軟便等５０の漏れをより効果的に防止することができる。
【００３２】
［トップシート］
トップシート２０は、吸収体３０に向けて体液を速やかに通過させるものであり、吸収体３０を挟んで、バックシート４０に対向して配置される。トップシート２０は、肌と当接するシートとなることから、柔らかな感触で、肌に刺激を与えないような性質を有する、親水性不織布、開口ポリエチレンフィルム等の開口性フィルム、ウレタンフォーム等の発泡フィルム又はこれらを積層した複合シートから形成される。なお、トップシート２０は、単層であっても、複数層積層していてもよく、ドライタッチ性を付与するために多数の透孔が形成されていてもよい。
【００３３】
また、上記のような性質を有する親水性不織布としては、ポリプロピレンやポリエチレン等の合成繊維や、レーヨン等の再生繊維、綿等の天然繊維を用いて、サーマルボンド法のほか、スパンレース法やスパンボンド法等の公知の加工法によって得られたものを用いることができる。
【００３４】
トップシート２０の坪量は、加工性及び強度の点から、１５ｇ／ｍ２以上２００ｇ／ｍ２以下であることが好ましい。トップシート２０には、肌への刺激を低減させるために、ローション、酸化防止剤、抗炎症成分、ｐＨ調整剤、抗菌剤、保湿剤等を適用してもよい。
【００３５】
（スリット）
トップシート２０は、圧搾溝３１の高さ方向の位置に、幅方向に沿って、スリット２１を有しており、また、トップシート２０と圧搾溝３１が高さ方向に重複する領域において、トップシート２０は、吸収体３０と接合しない。そのため、軟便等５０が排泄される前においては、圧搾溝３１により形成される凹部に肌が直接的に触れることなく、トップシート２０により柔らかな肌触りを維持しつつ、図３（ａ）に示すように軟便等５０が排泄されると、図３（ｂ）に示すように、軟便等５０が圧搾溝３１まで移行した際に、スリット２１を有する領域が軟便等５０の自重により開口し、速やかに軟便等５０を圧搾溝３１に導くことができ、軟便等５０を堰き止め、軟便等５０の漏れを効果的に防止することができる。トップシート２０と圧搾溝３１が高さ方向に重複する領域において、トップシート２０が、吸収体３０と接合しないようにするためには、トップシート２０を吸収体３０に重ねる前に、あらかじめ吸収体３０に圧搾溝３１を形成すればよい。また、より効果的に軟便等５０を導きやすくするために、スリット２１は、スリット２１の長手方向の中心線が圧搾溝３１の長手方向の中心線と高さ方向に略重複するように設けられることが好ましい。なお、肌が直接的に圧搾溝３１に触れないようにするために、スリット２１の長手方向の寸法は、圧搾溝３１の長手方向の寸法よりも小さいことが好ましい。
【００３６】
スリット２１の幅方向の寸法は２０ｍｍ以上３２０ｍｍ以下であり、長手方向の寸法は、４０ｍｍ以下であることが好ましい。また、スリット２１の幅方向の寸法は、４０ｍｍ以上２７０ｍｍ以下であることがより好ましく、７０ｍｍ以上２２０ｍｍ以下であることが更に好ましい。また、スリット２１の長手方向の寸法は、１０ｍｍ以下であることがより好ましく、５ｍｍ以下であることが更に好ましい。このように、スリット２１の幅方向及び長手方向の寸法を上記の範囲に調整することにより、トップシート２０の柔らかな肌触りを維持しつつ、より速やかに軟便等５０を圧搾溝３１に導くことができ、軟便等５０を堰き止めることができる。
【００３７】
［バックシート］
本発明に用いるバックシート４０としては、液不透過性又は液透過性のいずれの性質でもよいが、液不透過性であるほうが、軟便等５０の漏れをより防止することができるため、好ましい。また、バックシート４０の坪量は、加工性及び強度の点から、１５ｇ／ｍ２以上２００ｇ／ｍ２以下であることが好ましい。
【００３８】
バックシート４０が液不透過性である場合には、バックシート４０は、液不透過性であり、かつ、遮水性を有するシート材が用いられるが、ムレ防止のために透湿性を有していてもよい。このような特性を有するバックシート４０の材料としては、例えば、ポリエチレンシートやポリエチレンラミネート不織布等の厚みの薄いプラスチックシートを挙げることができる。
【００３９】
また、バックシート４０が液透過性である場合には、バックシート４０は、トップシート２０と同様に、親水性不織布、開口ポリエチレンフィルム等の開口性フィルム、ウレタンフォーム等の発泡フィルム又はこれらを積層した複合シートから形成される。なお、バックシート４０は、単層であっても、複数層積層していてもよく、ドライタッチ性を付与するために多数の透孔が形成されていてもよい。上記のような性質を有する親水性不織布としては、ポリプロピレンやポリエチレン等の合成繊維や、レーヨン等の再生繊維、綿等の天然繊維を用いて、サーマルボンド法のほか、スパンレース法やスパンボンド法等の公知の加工法によって得られたものを用いることができる。
【００４０】
バックシート４０の衣類側表面には、装着時のズレを防止するための固定部材をもうけていてもよい。固定部材の基材としては、特に限定されないが、メカニカルフックテープ又は粘着剤であることが好ましい。また、固定部材を保護するための剥離シートを有していてもよい。
【００４１】
（立体ギャザー）
本発明の吸収性補助パッド１は、幅方向の両端部に立体ギャザーを備えることが好ましい。立体ギャザーを幅方向の両端部に設けることにより、軟便等５０の幅方向からの漏れを効果的に防止することができる。立体ギャザーとしては、疎水性繊維にて形成された撥水性又は液不透過性のシート、例えば、スパンボンド不織布、メルトブロー不織布、ポリエチレンフィルムを用いることができる。これらの基材から適宜選択し、二重に接合したものを用いることもできる。また、立体ギャザーの坪量は、加工性及び強度の点から、１０ｇ／ｍ２以上１００ｇ／ｍ２以下であることが好ましい。
【００４２】
（伸縮弾性部材）
また、立体ギャザーは、自由端側及び基端側に少なくとも一本ずつの伸縮弾性部材を長手方向に沿って有することが好ましい。伸縮弾性部材を長手方向に沿って設けることで、立体ギャザーが起立性を有し、着用者の体型に合わせて変形可能なものとなり、フィット性が向上することで、軟便等５０の漏れを効果的に防止することができるようになる。伸縮弾性部材としては、例えば、ポリウレタン糸、帯状のポリウレタンフィルム、糸状又は帯状の天然ゴム等が使用される。
【００４３】
なお、吸収性補助パッド１の長手方向両端部においては、立体ギャザーは、その自由端がトップシート２０上に固定されていることが好ましく、このため、立体ギャザーの内側側面が、トップシート２０の身体側表面と接合していることが好ましい。これにより、立体ギャザーは、長手方向両端部を除く部位のみにおいて起立することとなる。
【００４４】
（吸収性補助パッドの製造方法）
吸収性補助パッド１の製造方法としては、あらかじめ圧搾溝３１を設けた吸収体３０をトップシート２０とバックシート４０との間に挟持し、トップシート２０とバックシート４０を一部又は全周に亘ってホットメルト接着剤やヒートエンボス、超音波エンボス、高周波エンボス等を用いて固定し、トップシート２０に、圧搾溝３１の高さ方向の位置に、幅方向に沿って、スリット２１を設けることにより製造することができる。これを長手方向に３つ折りにして折り畳めばよい。また、必要に応じて幅方向の両端部に立体ギャザーを設けることができる。
【００４５】
以上、本発明を、実施形態を用いて説明したが、本発明の技術的範囲は上記の実施形態に記載の発明の範囲には限定されないことは言うまでもなく、上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００４６】
１        吸収性補助パッド
２０      トップシート
２１      スリット
３０      吸収体
３１      圧搾溝
４０      バックシート
５０      軟便等
ａ        前部
ｂ        股部
ｃ        後部
【図１】
2019037671.tif 000003
【図２】
2019037671.tif 000004
【図３】
2019037671.tif 000005